【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
ＲＦ（無線波）電力を発生させる発生装置を含む第１のユニット、および
発生装置に関連付けられる電気外科手術用器具の少なくとも一部を包含する第２のユニットを含み、この第２のユニットはＲＦ電力が第２のユニットに伝達できるように第１のユニットに電気的に接続、分離可能とされており；
ここで前記第２のユニットは、第２のユニットを識別するための測定可能なゼロ以外の値のパラメータを持つ受動的電気識別部品を含み；
前記第１のユニットは、第２の電気部品、ステップ変化電圧を与えるように設けられた信号源、および信号検出器を包含するセンシング回路を含み、前記第２の電気部品は第２のユニットが第１のユニットに接続されたときにその識別部品との結合回路を形成し、前記信号源および信号検出器は、信号源からステップ変化電圧が供給されることによりパラメータ値によって決まる結合回路の一過性応答が発生し、検出器がその一過性応答の特徴を検出してパラメータ値を指示する検出器出力信号を発生させるように構成されており；
さらに第１のユニットは、検出器出力信号を受信するためにセンシング回路に接続されたコントローラを含み；
このコントローラは検出器出力信号に応答して第２のユニットを識別するように構成されている電気外科手術システム。
【請求項２】
受動的電気識別部品はキャパシタンスであり、第２の電気部品はインダクタンスであり、このインダクタンスは第２のユニットが第１のユニットに接続されたとき前記識別部品とともに共振回路を形成し、信号源および信号検出器は、ステップ変化電圧により共振回路に前記パラメータ値によって決まる周波数の共鳴が起こり、検出器がその共鳴の特徴を検出して検出器出力信号を発生するように構成されている請求項１記載のシステム。
【請求項３】
信号検出器は共鳴周波数を検出するように構成されている請求項２記載のシステム。
【請求項４】
信号検出器は、共振回路によって形成される共鳴波形が予め定められた基準レベルと交差する第１および第２の時点の間隔を検出するように構成されている請求項２記載のシステム。
【請求項５】
信号検出器は、共鳴を２値信号に変換するコンパレータ、およびコンパレータに連結さ
れ、２値信号のパルスを数えるように構成されたカウンタを含む請求項３または４記載のシステム。
【請求項６】
信号検出器は、コンパレータに連結され、２値信号としての少なくとも１つのパルス幅からなる指示信号を発生するように構成されたパルス幅計測装置を含む請求項５記載のシステム。
【手続補正２】
【補正対象書類名】明細書
【補正対象項目名】発明の名称
【補正方法】変更
【補正の内容】
【発明の名称】電気外科手術システム
【手続補正３】
【補正対象書類名】明細書
【補正対象項目名】０００５
【補正方法】変更
【補正の内容】
【０００５】
本発明の電気外科手術システムは、ＲＦ（無線波）電力を発生させる発生装置を含む第１のユニット、および発生装置に関連付けられる電気外科手術用器具の少なくとも一部を包含する第２のユニットを含み、この第２のユニットはＲＦ電力が第２のユニットに伝達できるように第１のユニットに電気的に接続、分離可能とされており；
ここで前記第２のユニットは、第２のユニットを識別するための測定可能なゼロ以外の値のパラメータを持つ受動的電気識別部品を含み；
前記第１のユニットは、第２の電気部品、ステップ変化電圧を与えるように設けられた信号源、および信号検出器を包含するセンシング回路を含み、前記第２の電気部品は第２のユニットが第１のユニットに接続されたときにその識別部品との結合回路を形成し、前記信号源および信号検出器は、信号源からステップ変化電圧が供給されることによりパラメータ値によって決まる結合回路の一過性応答が発生し、検出器がその一過性応答の特徴を検出してパラメータ値を指示する検出器出力信号を発生させるように構成されており、さらに第１のユニットは、検出器出力信号を受信するためにセンシング回路に接続されたコントローラを含んでいる。
【手続補正４】
【補正対象書類名】明細書
【補正対象項目名】００１３
【補正方法】変更
【補正の内容】
【００１３】
本発明の電気外科手術システムは、電気外科手術システム用電極集合体を採用しており、この電極集合体は、
少なくとも１個の組織処置電極；
前記集合体をシステムの別の部分へ取り外し可能に固定するためのマウント部；
前記システムの別の部分に関連付けられたセンシング回路における第２の電気部品と結合回路を形成するように構成された受動的電気識別部品であって、その識別部品は電極集合体を指示する測定可能なゼロ以外のパラメータを持つ受動的電気識別部品；
メモリーを含むデジタルデバイス；および
前記システムの別の部分に、接点を結合させるための接点セットを含み；
ここで前記接点セットは一対の接点を含み、これらの接点は識別部品によって相互に接続され、またデジタルデバイスにもまた接続されて、
（ａ）前記システムの前記別の部分からデジタルデバイスの電源供給端子まで電源を供
給すること、および
（ｂ）デジタルデバイスのデータ出力から前記別の部分までデータを伝達すること、
の少なくとも１つを行う。電極集合体は典型的に単極、二極または三極の集合体であり、図面および下記の記述では２個の電極を持つ二極集合体を用いた本発明の使用法が示され、その電極の一方は識別部品によって相互に接続された一対の接点の一方と連結され、これによりその接点はＲＦ電力伝送回路として、および識別部品を含む識別回路としての二重の用途を果たす。
【手続補正５】
【補正対象書類名】明細書
【補正対象項目名】００２６
【補正方法】変更
【補正の内容】
【００２６】
インダクタ３８とキャパシタ１４間の接続部にコンパレータ４６の一方の入力部が連結され、コンパレータ４６の他方の入力部は基準電位電源ＶＲＥＦに接続されている。この基準電位は、キャパシタ１４とインダクタ３８によって形成される共振回路の他方のアーム（ここでは信号源のインダクタ３８に接続されていない方の出力ライン３６Ｂ）に関連付けて予め定められた電位である。コンパレータ４６は信号処理回路４８に接続される出力部４６Ａを持ち、信号処理回路は同様にコントローラ２２（図１を参照）に出力部４８Ａを通して入力するようになっている。
【手続補正６】
【補正対象書類名】明細書
【補正対象項目名】００３４
【補正方法】変更
【補正の内容】
【００３４】
発生装置内の識別回路構成２４は２個の一過性信号センシング回路を持ち、それぞれは概略的には図２について上述されたように構成されている。付加的な構成として、コンパレータ４６−１、４６−２の基準電位を接地電位に設定し、さらに両センシング回路に対して共通信号源３６を使用している。この信号源はインダクタ３８Ａ、３８Ｂに個別のバッファ８０を介して連結される。通常はＩＤライン６４、７４に接地電位よりも高い電力を供給することにより、デジタルデバイス５０には上述の調整回路構成６４〜７０を経由して電力を供給し、またデータ出力スイッチ７２の両端間に電圧を維持する。
【手続補正７】
【補正対象書類名】明細書
【補正対象項目名】００４２
【補正方法】変更
【補正の内容】
【００４２】
図８では、本発明による他のシステムにおいて、デジタルデバイスの電力供給およびデバイスからのデータ伝送は、ともに共通ＩＤライン６４および接点３０Ｂを経由して行われる。コネクタに供給されるデジタルデバイスへの電源は、この例では、照合パルスによってだけでなく、デジタルデバイス５０から出力されたデータによっても中断され、このときこの出力データはＦＥＴスイッチ７２を短絡させてＩＤライン６４を接地させる。この符号化スキームは、例えばマンチェスタ符号化（非ゼロ復帰）を用いる組込クロックに依存する。この実施形態では、ただ３個のコネクタピンが、（ｉ）ＲＦ電力の器具への伝導用、（ii）識別用および（iii）デジタルデバイス５０とのデータ交換用に必要とされるだけであることは注目される。
【手続補正８】
【補正対象書類名】明細書
【補正対象項目名】００４３
【補正方法】変更
【補正の内容】
【００４３】
上記図８におけるシステムの変形として、図９に示されているように、識別およびデータ転送機能は、ＲＦ電力ラインと単一のコネクタ接点対を共用する。この例では、ＲＦ発振器１９は識別およびデータ転送に用いられるのと同じライン６４および同じ接点３０Ａに直接接続されている。ＲＦチョーク９０は器具内に、ＩＤライン６４と、デジタルデバイス５０への中間電源部品６５〜７０との間に直列に接続されている。第２ＲＦチョーク９２は発生装置内に、ＩＤライン６４と、コンパレータ４６の信号入力部と間に直列に接続されている。これらのチョークは識別部品を、ＲＦ発振器１８によって形成される高無線周波数電圧から保護する。ＲＦ発振器１８はコントローラ（図１）によってゲート制御され、識別信号が存在しないときにだけ活性化され、逆もまた同様とされる。
【手続補正９】
【補正対象書類名】明細書
【補正対象項目名】００４４
【補正方法】変更
【補正の内容】
【００４４】
図１０に原理的に示されているように、発生装置に連結されかつ固有のキャパシタ値を持つ電気外科手術用器具の識別は、同様に抵抗−キャパシタンス結合を用いて行われる。この例では、信号源３６が正方向の照合パルスを形成して直列抵抗１００に適用するが、器具が発生装置に接続されたとき、抵抗１００が器具の識別キャパシタ１４に接続されて直列ＲＣ結合を形成する。抵抗１００およびキャパシタ１４はキャパシタ１４の値によって決まるＲＣ時定数を画定する。その結果として、ＩＤライン６４上の電圧の立上がりおよび減衰率はキャパシタの値によって変わる。前記実施形態と同様に、コンパレータ４６はＩＤライン６４上の電圧をモニターするために用いられる。この例では、ゼロでない基準電位がコンパレータ４６の基準入力に適用される。この基準電位は２．５Ｖ（すなわち信号源３６によって形成された電圧の半分の値である）、またはこれより若干高い値でもよいが、０Ｖから信号源電圧までの範囲内とされる。図１１の波形図には、それぞれ（Ａ）照合パルス、（Ｂ）識別ライン６４上の電圧の立上がりおよび減衰、ならびに（Ｃ）コンパレータ４６のライン４６Ａ上の出力が図示されている。これから理解できるように、コンパレータ４６は遅延時間として、照合パルスの開始時点と、照合パルス期間中における識別ライン６４上の電圧が、信号源３６によって出力された２個の電圧レベル（それぞれのレベルに関して計測されたものである）間の電位差に対して予め定めた割合に達した時点との時間差を測定するように用いられる。さらなる実施形態として、コンパレータの代わりにアナログ・デジタル変換デバイスを用いてもよい。この場合、電圧曲線(ramp)上の多数の点がデジタル化でき、それから所定の曲線方程式と比較して、期待した応答が存在するかどうかを検証できる。また変化率も読取値の違いから計算することができ、これからキャパシタの値が算出される。
【手続補正１０】
【補正対象書類名】図面
【補正対象項目名】図１
【補正方法】変更
【補正の内容】
【図１】
2010527674.tif 000001
【手続補正１１】
【補正対象書類名】図面
【補正対象項目名】図２
【補正方法】変更
【補正の内容】
【図２】
2010527674.tif 000002
【手続補正１２】
【補正対象書類名】図面
【補正対象項目名】図８
【補正方法】変更
【補正の内容】
【図８】
2010527674.tif 000003
【手続補正１３】
【補正対象書類名】図面
【補正対象項目名】図９
【補正方法】変更
【補正の内容】
【図９】
2010527674.tif 000004